(57)【特許請求の範囲】
【請求項１】
脚立は、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板を架け渡し、手摺支柱の上部に、外方に向けて略水平方向に突出する平面コ字形の手摺枠を折り畳み自在に取り付け、該手摺枠の突出端に位置する桟を隣接の桟に対して係脱自在に組み合わせたものであり、少なくとも一対の脚立と、該脚立の上部に配置される踏板間に着脱自在に架け渡す天板とで構成することを特徴とする可搬式作業台。
【発明の詳細な説明】
【０００１】
【発明の属する技術分野】
本発明は、建築工事現場、建築物の天井や壁面などの内外装作業、電気配線作業などに使用する可搬式作業台に関するものである。
【０００２】
【従来の技術】
かかる可搬式作業台は、従来、周知のごとく例えば図９に示すように、一対の支柱脚１間に複数の踏桟２を適宜間隔で取り付けて梯子状の主脚30を形成し、該梯子状の主脚30の一対間に長方形状の天板４を回動自在に取り付け、さらに、天板４と主脚30との間に途中で屈曲自在なステイ31を介装している。
【０００３】
そして、不使用時にはステイ31を折り曲げて主脚30を天板４に重ねることで全体を折り畳み、容易に移動できるようにし、また少ないスペースに収納できるようにしている。
【０００４】
【発明が解決しようとする課題】
天板４の両側には主脚30が設けられているが、この主脚30は梯子状であるにもかかわらず、天板４に連結されているため、これだけを単体の梯子として使用することはできず、天板４と一体のものとしてしか使用できず、十分な活用が図られているとは考えにくい。
【０００５】
また、天板４も前記の主脚30間に所定の長さのものが結合されているため、天板４上の移動距離が作業台毎に限定され、使用条件に合致するものが得られないこともあり、使い勝手がよくなかった。かかる不都合を解消するには、別の作業台を別途用意して長さ方向に連結するなどの方法もあるが、連結のための手段を別途講じる必要があり、構造も複雑となるおそれがある。
【０００６】
本発明の目的は前記従来例の不都合を解消し、天板を支承する梯子状の主脚の部分を単独で脚立として使用できて有効利用を図ることができ、天板も任意の長さのものを選択でき現場の使用条件に合致するものを得ることができ、さらに、天板の支持力も増加できて安全性も向上でき、また、移動や収納時には分解可能で取扱も簡便な可搬式作業台を提供することにある。
【０００７】
【課題を解決するための手段】
本発明は前記目的を達成するため、脚立は、上部に手摺支柱を延設した一対の支柱脚間に複数の踏桟を適宜間隔で取り付けて梯子枠を形成し、該梯子枠の一対を対向させ上端を相互に回動自在に軸着し、支柱脚の上部位置で梯子枠間に踏板を架け渡し、手摺支柱の上部に、外方に向けて略水平方向に突出する平面コ字形の手摺枠を折り畳み自在に取り付け、該手摺枠の突出端に位置する桟を隣接の桟に対して係脱自在に組み合わせたものであり、少なくとも一対の脚立と、該脚立の上部に配置される踏板間に着脱自在に架け渡す天板とで構成することを要旨とするものである。
【０００８】
請求項１記載の本発明によれば、脚立と天板との組み合わせで構成したから、梯子の部分は脚立としても単独で使用でき、活用範囲が広がり、また、支持力も増加する。天板は脚立に対して着脱自在に取り付けられるから、移動時や収納時に嵩張らず取扱いやすい。また、天板の長さも任意のものを選択できるから、使用する現場の条件に合致するものが簡単に得られる。
【０００９】
また、前記作用に加えて、支柱脚の上部に手摺支柱を延設し、この手摺支柱の上部に、一方の梯子枠の外方に向けて略水平方向に突出する手摺枠を折り畳み自在に取り付けたから、使用時には略水平方向に突出する手摺枠と垂直方向に突出する手摺支柱とで踏板の上方周囲を囲むようにして脚立部からの転落防止手段が講じられる。また、不使用時には、対向する梯子枠を上端の軸着部を中心にして回動し閉じれば、これに連動して手摺枠、踏板も梯子枠と同時に偏平に折り畳まれるから嵩張らない。
【００１０】
さらに、梯子枠から踏板への移動、踏板から天板への移動の際には、手摺枠の突出端に位置する桟を隣接の桟に対して取り外すことにより、手摺枠が移動の妨げになることを回避できる。
【００１１】
【発明の実施の形態】
以下、図面について本発明の実施の形態を詳細に説明する。図１は、本発明のの可搬式作業台の実施の形態を示す全体斜視図、図２は同上要部である脚立部分の斜視図、図３は同上要部である天板部分の斜視図で、本発明の可搬式作業台は、少なくとも一対の脚立５と、該一対の脚立５の上部に配置される後述の踏板６間に着脱自在に架け渡す天板７とで構成する。
【００１２】
脚立５は、一対の梯子枠３と、該梯子枠３間に折り畳み自在に架け渡した踏板６と、一対の梯子枠３の上部に折り畳み自在にそれぞれ取り付けた手摺枠８，９とで構成する。
【００１３】
梯子枠３は、一対の支柱脚１，１の間に適宜間隔（図示の例では高さ方向に300 ｍｍ間隔）で複数本（図示の例では４本）の踏桟２を架け渡し、支柱脚１の上端から手摺支柱10を上方に向けて延設したもので、支柱脚１、手摺支柱10ともに材質としては例えばアルミニウム合金を使用し、断面コ字形に形成した。そして、踏桟２の長さは、上段のものになるにしたがい短いものとして、支柱脚１，１の間隔が上方にいくにしたがい狭くなるように形成する。
【００１４】
支柱脚１の上端部に位置させて、対向する支柱脚１，１の間に踏板６を回動自在に取り付ける。該踏板６は、踏板本体６ａと、該踏板本体６ａを下方から支承するステイ６ｂとで構成し、ステイ６ｂは一端を踏板本体６ａの下部のほぼ中央位置に回動自在に軸着し、他端を支柱脚１の上端部または手摺支柱10の下端部、または支柱脚１と手摺支柱10との境界部に取付金具で回動自在に軸着する。
【００１５】
踏板本体６ａは、ステイ６ｂが重合されない側の端部を、取付金具で支柱脚１の上端部または手摺支柱10の下端部、または支柱脚１と手摺支柱10との境界部に回動自在に軸着する。
【００１６】
手摺支柱10，10の上端部は突き合わせて、矩形状の回転金具11で回動自在に結合する。図中14は支柱脚１の下部に伸長自在に取り付けた延長脚を示す。
【００１７】
梯子枠３の上部の手摺支柱10に取り付ける手摺枠８，９は、図４に示すようにアルミニウム合金などを用いて断面ロ字形の中空に形成した型材を平面コ字形に形成したもので、一方の手摺枠８は他方の手摺枠９よりも突出長を長く形成し、長尺な手摺枠８は、開口部側の両端を一方の手摺支柱10の上部の、前記回転金具11による結合部の直下位置で、手摺支柱10の内側に回動自在に軸着する。
【００１８】
そして、他方の手摺支柱10の回転金具11による結合部の直下に位置させて手摺支柱10の内側に、手摺枠８の下部を支持するストッパー12を取り付けた。
【００１９】
他方の短尺な手摺枠９は、長尺な手摺枠８の端部が内側に取り付けられている手摺支柱10の外側に端部を取り付ける。この短尺な手摺枠９は突出長が短いから、長尺な手摺枠８のように回動自在に取り付ける必要は必ずしもない。
【００２０】
そして、両手摺枠８，９ともに突出端に位置する桟８ａ，９ａを隣接の桟８ｂ，９ｂに対して係脱自在に組み合わせる。この組合せ構造は、例えば、桟８ａ，９ａの一端を隣接の一方の桟８ｂ，９ｂに対して垂直方向に回動自在に軸着し、隣接の他方の桟８ｂ，９ｂの端部に桟８ａ，９ａの他端が係止する溝部13を形成し、この溝部13に桟８ａ，９ａの他端を係脱自在に係合するものとする。
【００２１】
次にかかる脚立５に天板７を取り付けるための構造を図５〜図７について説明する。図５はその第１例を示し、天板７の短辺側の端部にボルト、ナット、リベットなどの固定具16で取付金具15の垂直部の外側を固定しておく。この取付金具15は略チャンネル状に形成したもので、下部を斜め下方に向く傾斜部に形成した。
【００２２】
他方、踏板６の端部に取付孔17を穿設するとともに、この取付孔17に対応するように取付金具15にも取付孔18を穿設し、取付孔17，18を対応させるようにして踏板６の上に取付金具15の水平部を重合する。そして、取付孔17，18にピン19を差し込むことで踏板６に取付金具15を介して天板７を取り付ける。
【００２３】
前記ピン19は、図６に示すように取付孔17，18への差し込みが容易になるように、一部に切欠き19ａを有する頭部19ｂ、差し込み部19ｃおよび頭部19ｂより小径の中間部19ｄからなる。また、切欠き19ａは、作業台の折り畳み、移動の際の作業性が向上するように、例えばドライバーの先を入れて持ち上げることにより簡単に引き抜くことができるようにするためのものである。
【００２４】
図７は第２例を示し、前記ピン19に替えて、取付金具15の下部にピン20を予め突設しておき、このピン20を踏板６に穿設してある取付孔17に差し込むようにしてもよい。
【００２５】
前記天板７も脚立５と同様にアルミニウム押し出し形材により長方形に形成するもので、適宜長さに設定する。
【００２６】
また、天板７には、その長さ方向にそって両側に手摺21を着脱自在に設ける。この手摺21は一例として対向する支柱22間に横桟23を架設したもので、図８に示すように支柱22の下部に略コ字状の固定部材24をボルト・ナットなどで固定し、該固定部材24を天板７の下面に当接し、Ｌ字型金物などによる板状の取付金具25を介してボルト・ナットなどの固定手段で支柱22を天板７に着脱自在に固着する。
【００２７】
次に使用法について説明する。少なくとも一対の脚立５と、この脚立５間に配設する天板７とを用意する。天板７は使用する現場の条件に適合する長さのものを選択する。脚立５の一対の梯子枠３，３を上部の回転金具11の部分を軸としてハの字形に開く。この状態で踏板６は脚立５の開脚に連動して踏板本体６ａとステイ６ｂとが水平状態となる。
【００２８】
また、長尺な手摺枠８を起こしてストッパー12で略水平状態に係止する。
【００２９】
そして、脚立５，５の間に天板７を掛け渡す。架け渡しの方法は、天板７に予め固定してある取付金具15を介してピン19、またはピン20を踏板６に穿設してある取付孔17に挿入することで行う。
【００３０】
さらに、天板７の長さ方向の両側に手摺21を立設する。手摺21の立設は、天板７に予め固定してある取付金具25に手摺21の支柱22を固定することで行う。
【００３１】
このようにして脚立５，５の間に天板７を架設して作業台が組上がったならば、脚立５の梯子枠３の踏桟２を使用して脚立５に上り、踏板６に達したならば、手摺枠８，９の突出端に位置する桟８ａ，９ａを隣接の桟８ｂ，９ｂに対して上方の垂直方向に回動して取り除く。これにより、桟８ｂ，８ｂ間、または桟９ｂ，９ｂ間に開口が形成されるから、この開口を通って踏板６上に到達する。
【００３２】
踏板６上に到達した後は、天板７が配設されていない側に位置する手摺枠、例えば手摺枠９は突出端に位置する９ａを再度回動して水平位置に戻し、落下防止柵とする。
【００３３】
そして、踏板６および天板７上を歩行して作業する。この状態で天板７の両端は脚立５で支持されているから、梯子状の部材で支持されるものに比較して大きな支持力が得られる。
【００３４】
なお、前記実施形態では一対の脚立５，５の間に天板７を架設したが、これに限定されるものではなく、天板７の長さ方向にさらに脚立５および天板７を順次連結することで増設し縦方向に延長することもでき、また、天板７の幅方向にもさらに脚立５および天板７を順次連結することで増設し横方向に延長することもできる。
【００３５】
不使用時には、前記とは反対の手順で手摺21、天板７、脚立５を分離し、脚立５を折り畳んで運搬、収納する。
【００３６】
また、脚立５はそれ自体を単体として使用することもでき、この場合は、踏板６の上方の前後を手摺枠８，９で、左右を手摺支柱10で囲まれるから、安全性が向上する。
【００３７】
【発明の効果】
以上述べたように本発明の可搬式作業台は、天板を支承する梯子状の主脚の部分を単独で脚立として使用できて有効利用を図ることができ、天板も任意の長さのものを選択でき現場の使用条件に合致するものを得ることができ、さらに、天板の支持力も増加できて安全性も向上でき、また、移動や収納時には分解可能で取扱も簡便なものである。
【図面の簡単な説明】
【図１】  本発明の可搬式作業台の実施形態を示す全体斜視図である。
【図２】  本発明の可搬式作業台の実施形態を示す要部である脚立の斜視図である。
【図３】  本発明の可搬式作業台の実施形態を示す要部である天板の斜視図である。
【図４】  本発明の可搬式作業台の実施形態を示す要部である脚立の手摺部分の斜視図である。
【図５】  本発明の可搬式作業台の実施形態を示す要部である脚立と天板の連結部分の縦断側面図である。
【図６】  本発明の可搬式作業台の実施形態を示す腰部である脚立と天板の連結部分に使用するピンの正面図である。
【図７】  本発明の可搬式作業台の実施形態を示す要部である脚立と天板の連結部分の他の例の縦断側面図である。
【図８】  本発明の可搬式作業台の実施形態を示す要部である天板と手摺の連結部分の分解斜視図である。
【図９】  従来の可搬式作業台の斜視図である。
【符号の説明】
１…支柱脚                      ２…踏桟
３…梯子枠                      ３ａ…軸着部
４…天板
５…脚立                        ６…踏板
６ａ…踏板本体                  ６ｂ…ステイ
７……天板                      ８…手摺枠
９…手摺枠                      ８ａ，９ａ、８ｂ，９ｂ…桟
10…手摺支柱                    11…回転金具
12…ストッパー                  13…溝部
14…延長脚                      15…取付金具
16…固定具                      17，18…取付孔
19…ピン                        19ａ…切欠き
19ｂ…頭部                      19ｃ…差し込み部
19ｄ…中間部                    20…ピン
21…手摺                        22…支柱
23…横桟                        24…固定部材
25…取付金具                    30…主脚
31…ステイ
【図１】
0004170580.tif 000002
【図２】
0004170580.tif 000003
【図３】
0004170580.tif 000004
【図４】
0004170580.tif 000005
【図５】
0004170580.tif 000006
【図６】
0004170580.tif 000007
【図７】
0004170580.tif 000008
【図８】
0004170580.tif 000009
【図９】
0004170580.tif 000010